(57)【特許請求の範囲】
【請求項１】
バッテリ（２）に結合された自動車のパワートレインに対する電力を充電及び／又は生成するための可逆充電装置（１）であって、単相又は三相電力供給ネットワークか、或いは電力供給先である負荷装置（３）に直接接続される第１の整流器段（６）と、前記バッテリ（２）に接続される第２のインバータ段（７）と、前記第１の整流器段（６）と前記第２のインバータ段（７）の間を流れる平均電流を調整する手段とを備えており、前記電力供給ネットワークと前記バッテリ（２）の間の電力の移動、又は負荷装置への供給を制御可能な制御手段（８）を有し、
前記第１の整流器段（６）が、第１のオン状態方向の電流を整流することができる第１の被制御整流手段と、前記第１のオン状態方向と反対の第２のオン状態方向の電流を整流することができる第２の被制御整流手段とを有することを特徴とする可逆充電装置。
【請求項２】
前記制御手段（８）が、前記電力供給ネットワークの電流設定値に応じて前記ネットワークで生成された電流を調整可能な電流調整手段（２０）と、負荷装置（３）の端子における電圧を調整可能な電圧調整手段（３０）とを有することを特徴とする、請求項１に記載の可逆充電装置。
【請求項３】
前記第１の整流器段（６）がフリーホイール手段を有し、当該フリーホイール手段は、前記第１の整流器段（６）のすべてのトランジスタがオフ状態のときに、電流が前記第２のインバータ段（７）を流れることを可能にすることを特徴とする、請求項１又は２に記載の可逆充電装置。
【請求項４】
前記フリーホイール手段が、電流が一方向に流れることを可能にする第１のフリーホイール回路と、電流が前記第１のフリーホイール回路の前記方向とは反対の他の方向に流れることを可能にする第２のフリーホイール回路とを有することを特徴とする、請求項３に記載の可逆充電装置。
【請求項５】
前記フリーホイール手段が、少なくとも１つのフリーホイール・ダイオード（１３ａ）及び／又は少なくとも１つのフリーホイール・トランジスタ（１３ｂ）を有することを特徴とする、請求項３又は４に記載の可逆充電装置。
【請求項６】
電気パワートレイン装置を備えた自動車に搭載されるように設計されている可逆充電装置（１）において、前記第２のインバータ段（７）が、前記自動車の前記電気パワートレイン装置からなることを特徴とする、請求項１〜５のいずれか一項に記載の可逆充電装置。
【請求項７】
前記自動車に組み込まれたフィルタリング手段（５）を有しており、このフィルタリング手段（５）が、前記バッテリ（２）の前記充電中に前記装置（１）によって吸収された前記電力供給ネットワークの電流をフィルタリング可能であることを特徴とする、請求項１〜６のいずれか一項に記載の可逆充電装置。
【請求項８】
前記自動車に組み込まれた前記フィルタリング手段（５）が、前記装置（１）が電力供給ネットワークに接続されたときに、前記装置（１）内の回路を電流ピークから保護することが可能な保護手段（６０）を有することを特徴とする、請求項７に記載の可逆充電装置。
【請求項９】
バッテリ（２）に結合された自動車のパワートレインに対する電力を充電及び／又は生成するための方法であって、
−電力供給ネットワーク又は電力供給先である負荷装置（３）に接続される第１の整流器段（６）と、
−前記バッテリ（２）に接続される第２のインバータ段（７）と、
−前記第１の整流器段（６）と前記第２のインバータ段（７）の間を流れる平均電流を調整する手段と
を備える可逆充電装置を用いており、
電力の移動を、前記電力供給ネットワークと前記バッテリ（２）の間で制御するか、或いは負荷装置（３）への前記電力供給を制御し、
電力の移動が前記電力供給ネットワークと前記バッテリ（２）の間で制御されているとき、前記電力供給ネットワークの各相で生じた電流を、前記電力供給ネットワークの電圧の測定値に基づいて生成された電流設定値に基づいて調整することを特徴とする方法。
【請求項１０】
負荷装置（３）への前記電力供給が制御されているとき、前記負荷装置（３）の端子における電圧を、調整ループを援用して調整する、請求項９に記載の方法。
【請求項１１】
第２のインバータ段（７）の電流が、フリーホイール相でフリーホイール手段を流れることができる、請求項９又は１０に記載の方法。
【請求項１２】
前記電力供給ネットワークの電流を、統合フィルタリング手段（５）を援用してフィルタリングする、請求項９〜１１のいずれか一項に記載の方法。
【請求項１３】
前記統合フィルタリング手段（５）のフィルタリング・コンデンサに予め負荷を与えることにより、保護手段（６０）内のトライアックの助けで、前記電力供給ネットワークへの接続による電流ピークから前記統合フィルタリング手段（５）を保護する、請求項１２に記載の方法。
【発明の詳細な説明】
【技術分野】
【０００１】
本発明は、バッテリに充電するための、及びバッテリから負荷装置に電力供給するための装置の可逆性に関し、とりわけ自動車に組み込まれ、ネットワークの吸収電流を制御することでバッテリの再充電を可能にするか、又は自動車のバッテリから負荷装置に電力供給することを可能にする装置に関する。
【背景技術】
【０００２】
本明細書の文脈における「可逆性」とは、同一の装置が、電力供給ネットワークからバッテリに充電する第１の機能と、バッテリから配電網又は負荷装置へと電力を発生する第２の機能を有する能力を意味する。
【０００３】
電気自動車の主要な欠点の一つは、その利用可能性に関する。とりわけ、そのバッテリが放電されてしまうと、電気自動車は再充電時間中ずっと利用できないままであり、これは数時間にも及び得る。バッテリの再充電時間を短くするために、ネットワークから受け取る電流を増やして充電電力を増すことが知られている。この電流を単相ネットワークからではなく三相ネットワークから受け取ることも提案されており、電流が三相電力供給ネットワークから受け取られるときの方が充電電力は大きい。
【０００４】
再充電可能な電気又はハイブリッド自動車が大きな再充電電力を有し、よって急速充電を許容する場合、電子再充電トポロジが可逆性なので、２つの動作機会が生じる。
【０００５】
第１の機能は、電力分配ネットワークのオペレータの設定値に応じて電力供給ネットワークへとエネルギを返還することを可能とし、それによって十分な数の自動車が供給された場合、電力供給ネットワークの管理を最適化する機会をオペレータに提供する。
【０００６】
第２の機能は、家庭内の電力網が故障した際に、自動車を代替電源として利用すること、或いは電力供給がない場所でこの電源を発電器として利用することを可能とする。
【０００７】
特開２００８−１９９７８０、特開２００７−０６２６４２、特開平０８−１２６１２、米国特許５０９９１８６には、２つのインバータと、２つの装置と、ＤＣ／ＤＣステップアップと、バッテリと連続バスの間の可逆性コンバータとを備える構成が記載されている。これらの構成は、単相ネットワークの場合のみ交換を可能とする。さらにインバータは、三相充電を有する電気自動車には適用できない。
【０００８】
ＷＯ２００４−００９３９７には、リレーによる回路の再構成のみによって電力供給ネットワークに電力を送り返すことを可能にする電気自動車のバッテリの充電装置が記載されており、これは自動車に搭載不可能なフィルタリング・インダクタを最低限必要とする。さらに、この充電装置のバッテリの電圧は、電力供給ネットワークの電圧と適合しなければならない。
【発明の概要】
【発明が解決しようとする課題】
【０００９】
したがって本発明の目的は、上述の欠点を解消することであり、とりわけ単相又は三相ネットワークから直接自動車のバッテリを充電し、かつ接触器を用いることなくそれを行い、そして負荷装置に電力供給、又はネットワークに電力返還することを可能とする組み込み式の可逆充電装置を提案することである。
【課題を解決するための手段】
【００１０】
したがって本発明の主題は、第１の態様によれば、バッテリに結合された自動車のパワートレイン用の充電及び／又は電力発生電子装置であって、電力供給ネットワーク或いは電力供給先である負荷装置に接続される第１の整流器段と、バッテリに接続される第２のインバータ段と、第１段と第２段の間を流れる平均電流を調整する手段とを備える。
【００１１】
この装置は、電力供給ネットワークとバッテリの間の電力の移動、又は負荷装置への電力供給を制御可能な制御手段を有する。
【００１２】
好ましくは、制御手段は、電力供給ネットワークの電流設定値に応じてネットワークの電力供給電流を調整可能な電流調整手段と、負荷装置の端子における電圧を調整可能な電圧調整手段を有する。
【００１３】
さらに装置は、三相電力供給ネットワークや単相電力供給ネットワークなどの三相又は単相電気サービス、或いは負荷装置へと第１の整流器段を直接接続可能な接続手段を有することができる。
【００１４】
整流器入力段を交流又は直流単相電源に接続することも可能である。
【００１５】
有利には、第１の整流器段が、第１のオン状態方向の電流を整流可能な第１の被制御整流手段と、第１のオン状態方向と反対の第２のオン状態方向の電流を整流可能な第２の被制御整流手段とを有することができる。
【００１６】
また第１段が、第１段の残りの要素がオフ状態のときに、電流が第２段を流れることを可能にするフリーホイール手段を有することができる。
【００１７】
好ましくは、フリーホイール手段が、電流が一方向に流れることを可能にする第１のフリーホイール回路と、電流が第１の回路の方向と反対の他の方向に流れることを可能にする第２のフリーホイール回路とを有する。
【００１８】
好ましくは、フリーホイール手段が、少なくとも１つのフリーホイール・ダイオード及び／又は少なくとも１つのフリーホイール・トランジスタを有する。
【００１９】
フリーホイール・ダイオードは、入力段の一辺の短絡のために機能的に排除可能であれば、散逸損失を減少させる利点を有する。とりわけ、１つのダイオードにおける散逸は、直列の２つのダイオードと２つのトランジスタを電流が流れなければならないときよりもずっと少ない。これはまた、ドリフトや制御ロスの場合の動作の安全性にも利点を有する。とりわけこの場合、使用手順はすべてのトランジスタのオフ状態への命令に限られており、このとき固定子コイルの電流はこのダイオードを通って流れ続けることが可能である。
【００２０】
フリーホイール・ダイオードのオン状態方向とは反対の方向に、フリーホイール・トランジスタを使用できる。この被制御フリーホイール・トランジスタは、電流がフリーホイール・ダイオードのオン状態方向と反対の方向に流れるときだけオン状態であり、第１段の他のトランジスタはオフの状態である。
【００２１】
装置は少なくとも１つの電気パワートレイン装置、すなわち少なくとも電気モータとインバータ段を備える装置を有する自動車に搭載されるべきものとすることができるため、第２のインバータ段は、有利には、自動車のパワートレインのインバータ段によって形成可能である。
【００２２】
このように、充電装置は自動車に組み込まれ、自動車に既に存在するインバータ段が用いられる限りは、追加のインバータ出力段の使用を必要としない。
【００２３】
有利には、装置は、自動車に組み込まれたフィルタリング手段を有し、このフィルタリング手段が装置によって引き出された電力供給ネットワークの電流をフィルタリングすることができる。
【００２４】
三相電力供給ネットワークから引き出された電流は、本質的に、入力コンデンサ及び電磁環境両立性（ＥＭＣ）フィルタによってフィルタリング可能であり、よってこの電流はネットワークへの接続条件の高調波テンプレートを満足させる。
【００２５】
さらに、電気自動車の固定子コイルのインダクタンスを、電力バッファ・フィルタとして用いることもできる。とりわけ充電電力が大きいとき、そうした誘導性及び／又は容量性フィルタの空間要求及び重量は、自動車に搭載するには大きすぎる。
【００２６】
好ましくは、自動車に組み込まれたフィルタリング手段は、装置が電力供給ネットワークに接続されたときに回路を電流ピークから保護することができる保護手段を有する。
【００２７】
保護手段は、電力供給ネットワークの各相向けにトライアック、又は逆並列配置の２つのサイリスタなどのトライアックと等価な配置を有することができる。
【００２８】
他の態様によれば、バッテリに結合された自動車のパワートレインの電力負荷及び／又は発生方法が提案される。
【００２９】
この方法では、ユーザが、電力供給ネットワークとバッテリの間の電力の移動、又は受動的負荷装置への電力供給を制御する。
【００３０】
電力の移動が電力供給ネットワークとバッテリの間で制御されているとき、有利には、電力供給ネットワークの各相で生じた電流を、電力供給ネットワークの電圧の測定値に基づいて生成された電流設定値に基づいて調整することが可能である。
【００３１】
ユーザが負荷装置への電力供給を制御しているとき、有利には、負荷装置の端子における電圧を、調整ループの助けにより調整することが可能である。
【００３２】
有利には、第１段を三相電力供給ネットワーク又は単相電力供給ネットワーク又は負荷装置に直接接続することが可能である。
【００３３】
言い換えれば、第１段は接触器を使わずに、三相又は単相電力供給ネットワークに接続される。したがって、一方のコンフィギュレーションから他方への切り替えに接触器を用いる必要なしに、充電器としての動作、及びパワートレインとしての動作を保証することが可能である。
【００３４】
さらに、第１段を、直流単相電力供給ネットワークに直接接続することが可能である。
【００３５】
有利には、フリーホイール手段の第２段の電流がフリーホイール相で流れることができる。
【００３６】
よって、固定子コイルによって伝達された電流は、フリーホイール・ダイオード内を流れ続けることができる。
【００３７】
好ましくは、電力供給ネットワークの電流は、統合フィルタリング手段の助けによりフィルタリングされる。
【００３８】
有利には、統合フィルタリング手段が、電力供給ネットワークへの接続による電流ピークから保護されている。
【００３９】
本発明の他の利点及び特徴は、本発明による充電及び／又は電力発生装置の非限定的な一実施例の詳細な説明、及び添付の図面を検討することで明らかとなる。
【図面の簡単な説明】
【００４０】
【図１】一実施例による電気自動車の充電及び／又は電力発生装置を図式的に示す。
【図２】充電及び／又は電力発生装置の一実施例を詳細に示す。
【図３】電力供給ネットワークに接続された装置の制御手段の一実施例を示す。
【図４】負荷装置に接続された装置の制御手段の一実施例を示す。
【図５】充電及び／又は電流発生装置の他の実施例を示す。
【図６】統合フィルタリング手段を保護する手段を図式的に表す。
【図７】一実施例による、電力供給ネットワークに電力を生成するための方法のフローチャートを示す。
【図８】一実施例による、自動車のパワートレイン・システムの充電及び／又は電気発生装置から負荷装置に電力供給するための方法のフローチャートを示す。
【発明を実施するための形態】
【００４１】
図１は、バッテリ２に結合された電気又はハイブリッド自動車のパワートレインの充電及び／又は電力発生装置１を図式的に示す。装置はさらに電力供給ネットワーク又は負荷装置３に結合されている。
【００４２】
装置１は組み込み式の装置で、すなわち自動車に搭載されている。この装置は、再充電モードでは推進に必要な電力を供給するためにバッテリを充電し、発電モードではバッテリによって供給される電流から負荷装置に電力供給するように設計されている。さらに注意すべきことに、装置は単相電力供給ネットワークと三相電力供給ネットワークとのいずれかからバッテリを充電するように設計されている。最後に、装置は、再充電モードでは、ネットワークの電力供給設定値に応じて電力供給ネットワークへと電力を返還するように設計されている。
【００４３】
装置１は、充電装置１を電力供給ネットワーク又は負荷装置３に接続可能とするための接続手段４を有する。例えば、好適な接続手段は、ＳＡＥ規格Ｊ１７７２に準拠した矢崎社製の市販の工業用コネクタ・アセンブリとできる。他の同様のプラグもまた好適である。装置はまた、装置１によって引き出された電源供給ネットワークの電流をフィルタリング可能とするフィルタリング手段５を有する。
【００４４】
装置１はまた、フィルタリング手段５の出力に結合され、電力供給ネットワーク３から生じる交流電流の整流を可能とするか、又はバッテリ２に接続された第２のインバータ段７を介して電力供給ネットワーク３に伝達される電流の整流を可能とする第１の整流器段６を有する。第１段６及び第２段７は、独立したコントローラであり得る第１及び第２の制御手段８、９によってそれぞれ制御される。
【００４５】
入力段６の第１の制御手段８は、入力段６の出力電流を測定するためのモジュール１０から生じた信号を入力として受け取り、さらに再充電モードでは、第１の整流器段６から生じた平均電流の調整を制御することを可能とする。とりわけ、第１の整流器段６から生じた平均電流は、電力供給ネットワーク３によって供給される最大電流に基づいて、及び少なくとも第１の整流器段６によって整流された最大電圧とバッテリ２の電圧の間の比に等しい係数に応じて確立された電流値に等しくなるように制御される。
【００４６】
図２は、バッテリ２に結合された電気又はハイブリッド自動車のパワートレインの充電及び／又は電力発生装置１の一実施例を詳細に示す。
【００４７】
図２に示す装置１は、利用可能な３つの相を有する。３つの相は、三相電力供給ネットワーク又は単相電力供給ネットワークに結合可能である。後者の場合、利用可能な２つの相が単相電力供給ネットワークの相と中性線に結合され、利用可能な３つ目の相は使用されない。３つの相はまた、三相又は単相モードで電力供給される負荷装置にも結合可能である。
【００４８】
第１の整流器段６は、電流の流れの第１方向でオン状態のダイオード１１ａを有する第１の整流回路を有し、これらのダイオードはトランジスタ１２ａに直列結合されている。第１の整流回路は、並列結合された３つの同じ枝路を有する。枝路のそれぞれが、１つのダイオード１１ａ、２つのトランジスタ１２ａ、１つのダイオード１１ａを順に有する直列構成を持つ。各枝路はまた別個の相に結合され、結合は２つのトランジスタ１２ａの間で行われている。
【００４９】
第１の整流回路は、電流の流れの第１方向でオン状態である少なくとも１つのフリーホイール・ダイオード１３ａに並列結合されている。
【００５０】
さらに第１の整流器段６は、トランジスタ１２ｂに直列結合された、第１方向と反対の電流の流れの第２方向でオン状態のダイオード１１ｂを有する第２の整流回路を有する。第２の整流回路もまた、並列結合された３つの同じ枝路を有する。枝路のそれぞれが、１つのダイオード１１ｂ、２つのトランジスタ１２ｂ、１つのダイオード１１ｂを順に有する直列構成を持つ。各枝路はまた別個の相に結合され、結合は２つのトランジスタ１２ｂの間で行われている。
【００５１】
この第２の整流回路は、第１の流れ方向と反対の電流の流れの第２方向でオン状態である少なくとも１つのフリーホイール・トランジスタ１３ｂに並列結合されている。
【００５２】
第１及び第２の整流回路は、６つの整流枝路と２つのフリーホイール枝路とを備える唯一の回路を作るように共に結合されている。
【００５３】
第１の整流器段６の出力は、入力段６から生じた電流を測定するためのアンメータなどのモジュール１０に、第１の整流器段６の制御を介してこの電流を調整する目的で結合されている。
【００５４】
第２のインバータ段７は、３つの固定子コイル１４を介して測定モジュール１０の出力に結合されている。各固定子コイル１４の入力は、測定モジュール１０に結合されている。したがって、整流器入力段６から生じた電流は、第２のインバータ段７の回路の３つの枝路へと分割される。
【００５５】
詳細には、第２のインバータ段７はさらに、並列結合された３つの枝路を備える回路を有する。各枝路は、それぞれ並列結合されたダイオード１５とトランジスタ１６とを備える２つの配列の直列結合を備える。同一の枝路の２つのダイオード１６は、同じオン状態方向に取り付けられている。
【００５６】
各コイル１４は第２のインバータ段７の回路の枝路に結合されている。結合は直列結合されている２つの構成部分の間で行われている。
【００５７】
第２のインバータ段７はさらに、バッテリ２に結合されている。
【００５８】
再充電モードであるとき、すなわち装置１が電力供給ネットワークに接続されているとき、装置１の充電を最適化可能である。装置１の最適化は、第１の整流器段６の最小出力平均電流を最高値に放置せずに、バッテリ２の電圧に応じて調整することを備える。バッテリがネットワークから一定の電力供給で充電される間にもバッテリに入力される電流量が減少するので、第１の整流器段６の最小出力平均電流は低減可能であり、固定された所定の電流値だけ、バッテリ２に入力される電流の値より上に維持される。この所定の電流値は、第１の整流器段６の出力平均電流が常に、第１の整流器段６の平均出力電流信号にリップルなどの欠点があっても、バッテリに入力される電流より高いことを保証するように選ばれる。
【００５９】
非制限的な代表的実施例では、装置１は３２アンペアの電流を供給する４００ボルト三相電力供給ネットワーク３に接続されている。バッテリ２の電流はおよそ７０アンペアで、バッテリ電圧は３００ボルトである。したがって制御手段８は、固定された所定値を２０アンペアに設定する。よってバッテリ２の電流が７０アンペアと測定されたとき、第１の制御手段８は、最小出力平均電流が９０アンペアに等しく（すなわち、バッテリ２の７０アンペアに２０アンペアの固定された所定値を加算したものに等しく）なるように第１段６を制御する。
【００６０】
これにより第１の整流器段６の効率は、低電流をスイッチするトランジスタ１２のロスを減らすことで改善される。
【００６１】
こうした条件の下では、充電装置が第１の整流器段６の出力、すなわちフリーホイール・ダイオード１３ａの端子で、バッテリ２の電圧よりも低い平均電圧を得る。パワートレイン・インバータを備える第２のインバータ段７及び固定子コイル１４はこのようにして制御することができる。
【００６２】
具体的には、低平均電圧は、その間この端子での電圧が、ダイオード１３ａの接続点の電圧低下で上下するものの事実上ゼロとなるフリーホイール・ダイオード１３ａのフリーホイール相、すなわち導電相によるものである。
【００６３】
こうして入力段の第１の制御手段８により、フリーホイール相によって第１の整流器段６の各トランジスタ１２ａを順次制御することができ、したがって、トランジスタ・スイッチング信号のデューティサイクルを調整することで、或いは調整ループを用いることで、或いは調整ループを使用し、かつ調整ループから到来する所定の値に従って電力供給ネットワーク相に電流を送るためにスイッチング信号のデューティサイクルを調整することで、整流器入力段６を直接制御することが可能である。この電力供給ネットワーク相電流は、可変デューティサイクルを有する高周波数パルス（ネットワーク周波数より最低でも１０倍は高い）で分配され、電流設定値と共に変化する。ダイオード１３Ａは、すべてのトランジスタがオフ状態のときにフリーホイール・ダイオードとして作用し、よって整流器入力段６が突然固定子での電流の流れを止めてしまうことを防止する。
【００６４】
例えば、フリーホイール・ダイオード１３ａの端子における電圧スペクトルを最適化し、固定子１４の端子の電圧を可能な限り小さくし、よって整流器出力電流の電圧リップルを最小化することが可能である。次いでこの電圧は、電気自動車の固定子によって、さらにフィルタリングされる。
【００６５】
スイッチングの数を最小とし、よって第１の整流器段６によって生じるロスを最小とすることも可能である。一方、この場合に生じる電圧は、例えば電力供給ネットワーク周波数の最大６倍の低周波数の高調波を含み、よってこれは固定子コイル１４によってあまりフィルタリングされない。したがって、第１の整流器段６のロスの低減と、固定子コイル１４で低周波数の高調波によって引き起こされる（主に熱による）ロスとの間に妥協点を探ることができる。
【００６６】
第１段６の第１の制御手段８は、第１の整流器段６のトランジスタ１２ａの制御電極に印加さる電流パルスの循環比によって、三相電力供給ネットワーク３から引き出された電流を制御する。
【００６７】
第２のインバータ段７は、電気自動車のパワートレインに特有の要素を有する。言い換えれば、この実施例におけるパワートレインのインバータ段は、装置１の第２段７を構成する。
【００６８】
この場合、第２段の機能は、第１の整流器段６から生じた調整電流に基づいて、第１の整流器段６から生じた平均電流よりも常に小さい規定の充電電流を、バッテリに供給することである。
【００６９】
バッテリを流れる電流の高調波スペクトルを制限するために、第２のインバータ段７の各枝路を、第１段６の制御手段８から独立可能な第２の制御手段９で制御することも可能である。第２のインバータ段７の回路の各枝路のパルスの位相は、例えば３分の１周期ずれている。
【００７０】
第２のインバータ段７の回路の各枝路は、特有の調整ループを用いて、個別に、又は集合的に、すなわち各枝路の制御に同じ循環比を適用して駆動可能である。
【００７１】
電流の流れの第２方向でオン状態であるダイオード１１ｂと、トランジスタ１２ｂと、フリーホイール・トランジスタ１３ｂとを備える第２の整流回路は、充電器を可逆にすることができる。すなわち、装置１は電力発生モードでも使用可能である。発電モードでの動作は、フリーホイール・トランジスタ１３ｂによって制御されるフリーホイール相を除けば、再充電モードでの機能と対称的である。
【００７２】
電力発生モードでの第１段６の制御は、装置１の接続次第で異なる。具体的には、装置１が装置１によって電力供給先である負荷装置に接続されている場合、装置１が電力供給ネットワークに接続されて電力を電力供給ネットワークに返還する場合とは制御は異なる。
【００７３】
こうした制御の違いを図３、４を用いて説明する。
【００７４】
図３は、装置１が電力供給ネットワークに接続されたときの、第１段６の電流調整用の制御手段２０の一例を示す。
【００７５】
この制御の際立った特徴は、ネットワークに注入される電圧と同調して、電流の振幅、すなわち電力を制御することである。制御手段２０は、第１の整流器段６の第１の制御手段８に含まれる。
【００７６】
制御手段２０は、電力供給ネットワークで生じた電流を調整するために作られたものである。この手段はまた、電流設定値の同調、ネットワークの電圧、この電流の振幅の閉ループ制御、トランジスタの制御を生じる調整ストラテジの確立を可能にする。これらは、例えばデジタル・コントローラである計算手段２１と、ＰＬＬ（位相ロックループ）回路などの同調手段２２と、第１の比較手段２３と、電流調整手段２４と、加算手段２５と、事前処理手段２６と、ストラテジック手段２７とを備え、これらの手段２３〜２７は、デジタル・コントローラにおける数学関数として実施可能である。
【００７７】
制御の原理は、一方で電力供給ネットワークの管理者によって課された接続条件を満足し、他方で力率を最大化するために、供給された電力と電流形状とを制御するために電力供給ネットワークで生じた電流を確定することにあり、力率はネットワークの電流と電圧の間の位相差のコサインによって定義される。
【００７８】
装置が電力供給ネットワークに再注入を望む電流の振幅に対応した電流設定値ＡＩｎｅｔｗｏｒｋは、同じく入力として電力供給ネットワークの電圧測定値ＵＮｅｔｗｏｒｋを受け取る計算手段２１に伝達され、この電圧は、例えば位相ロックループなどの同調手段２２を介して電力供給ネットワークの配給者によって課されたものである。したがって計算手段２１は、ネットワークの末端における電圧と同調したネットワーク電流の設定値を、出力として伝達する。
【００７９】
ネットワーク電流の設定値は第１の比較手段２３に伝達され、この手段はまた、入力として、装置１によって電力供給ネットワークに実際に返還された電流に対応したネットワーク電流の測定値を受け取る。第１の比較手段２３は、ネットワーク電流設定値とネットワーク電流測定値の間に存在する差を特定し、この差の値を電流調整手段２４に伝達する。
【００８０】
次いで電流調整手段２４は、加算手段２５に調整信号を出力として伝達し、加算手段はさらに入力として、ネットワーク電流設定値を修正可能な事前処理手段２６を介して計算手段２１から発せられたネットワーク電流設定値を受け取る。加算手段２５は、出力として、２つの入力信号から得られた信号を、電力供給ネットワークへと発生された装置１の電流を調整するために、例えば、参照テーブルにおいてデジタル・コントローラのメモリに記憶された値に応じて、装置１の制御を決定可能なストラテジック手段２７へと伝達する。
【００８１】
図４は、装置１が負荷装置に接続されたときに第１段６の電圧を調整する制御手段３０の一実施例を示す。制御手段３０は、第１の整流器段６の第１の制御手段８に含まれている。
【００８２】
この構成では、負荷装置は最大許容電流の限度内で、伝達される電流に関係なく、調整された電圧を供給されなくてはならない。
【００８３】
電圧調整制御手段３０は、第２の比較手段３１と、電圧調整手段３２と、飽和手段３３と、ストラテジ手段３４を備える。これらの手段３０〜３４は、デジタル・コントローラにおける数学関数として実施可能である。
【００８４】
電圧設定値は、装置１が連結された負荷装置に伝達しなければならない電圧に対応するもので、第２の比較手段３１に伝達され、比較手段３１はまた、入力として、負荷装置の端子における装置１によって伝達された電圧の測定値Ｕｌｏａｄを受け取る。第２の比較手段３１は、２つの信号の間の差を特定し、得られた信号を電圧調整手段３２に伝達する。
【００８５】
電圧調整手段３２は、飽和手段３３に伝達する電圧調整信号を決定し、飽和手段３３は、コンバータに過負荷を掛けないように、装置１によって負荷装置に伝達される電流の振幅を飽和させることができ、よってそのインピーダンスが低すぎるとき、伝達される電流を最大限まで制限するために、負荷装置に印加される電圧を減らす。
【００８６】
飽和手段３３は出力として、必要であれば飽和した状態で、信号をストラテジ手段３４に伝達し、ストラテジ手段３４は、例えば、負荷装置の端子で生じる装置１の電圧を調整するために、参照テーブルによって飽和手段３３から受け取った信号を所望の電圧値にマッチさせることで、装置１の制御を決定することができる。
【００８７】
制御装置９の構造は、実質的に制御装置８と同じでよい。これらの制御手段は、単一の共通コントローラ又は２つの独立した別個のコントローラとして実施可能である。
【００８８】
図５は、装置１の他の実施例を示す。図中、図２と同一の要素には同じ符号が付与されている。
【００８９】
本実施例では、３つの相がＰ１、Ｐ２、Ｐ３で示され、中性相がＮで示されている。この場合、第２のフリーホイール・ダイオード１７が、第１の整流器段６の第１のフリーホイール回路に追加され、第２のフリーホイール・トランジスタ１８が、第１の整流器段６の第２のフリーホイール回路に追加される。第２のフリーホイール回路１７は、第１のオン状態方向において第１のフリーホイール・ダイオード１３ａの上流で直列に結合されている。第２のフリーホイール回路１８は、第２のオン状態方向において第１のフリーホイール回路１３ｂと直列に結合されている。
【００９０】
中性線は、直列接続された２つのフリーホイール・ダイオード１３ａ、１７によって形成された枝路に、２つのフリーホイール・ダイオード１３ａ、１７の間で結合されており、且つ直列接続された２つのフリーホイール回路１３ｂ、１８によって形成された枝路に、２つのフリーホイール・トランジスタ１３ｂ、１８の間で結合されている。
【００９１】
単相電力供給ネットワークの中性線を２つのフリーホイール・ダイオード１３ａ、１７を備える枝路に結合された専用入力に結合することによって、本実施例に基づいて作られた装置１を、単相電力供給ネットワークで用いることも可能である。
【００９２】
図６は、統合フィルタリング手段５を保護する手段６０を図式的に示す。
【００９３】
フィルタリング手段５は、各相間のフィルタリングを行うために、電磁環境両立性（ＥＭＣ）フィルタ５ａと、「星型」配置されたフィルタリング・コンデンサ５ｂを備える。ＥＭＣフィルタ５ａは、例えば、装置１の第１段６、第２段７のトランジスタによって生じた電流パルスをフィルタリングできるコモンモードのインダクタ及びコンデンサ・フィルタである。フィルタリング手段５は、このようにして吸収された電流のフィルタリングを可能とし、よって電流は、高調波に関してネットワーク・オペレータによって課されたネットワーク接続要件及び自動車分野の要件を満足させる。
【００９４】
中性相Ｎを考慮に入れた構成では、中性相フィルタリング・コンデンサ５ｃが、さらに、中性線Ｎとフィルタリング・コンデンサ５ｂの共通点Ｃの間に配置されている。後者のコンデンサ５ｃは、中性線と相の間でフィルタリングを行うことができる。
【００９５】
「星形構成」にコンデンサを配置する代わりに、「三角」構成（図示せず）に、すなわち各相とＥＭＣフィルタリング手段５ａの出力の中性線の間にコンデンサを置くことにより、コンデンサ５ｂを配置することも可能である。これにより、そこを通過する電流の値が減少する。この「三角」構成では、中性相フィルタリング・コンデンサ５ｃを設ける必要がない。
【００９６】
再充電モードでは、ＥＭＣフィルタリング手段５ａ及び／又はフィルタリング・コンデンサ５ｂなどの入力コンデンサの初期電圧と、電力供給ネットワークの電圧の間の差が接続時に大きいため、装置１の電力供給ネットワークへの接続が、大きな電流ピークの発生原因となり得る。
【００９７】
保護手段６０は、トライアック６１、或いは逆並列式に結合された２つのサイリスタ６２などのトライアックと等価な配置を有し、本実施例によれば相Ｐ１、Ｐ２、Ｐ３、Ｎの各々に関して、電力供給ネットワーク３への接続手段４とフィルタリング手段５の間に挿入されている。保護手段６０は、フィルタリング・コンデンサの予負荷の原理に従って動作し、トライアック６１のトリガーゲートの制御を介して、導通と、よって始動時の電流ピークとを制限することができる。
【００９８】
図７は、一実施形態による、電力供給ネットワークへの、自動車のパワートレインの充電及び／又は電力発生装置１の電力発生方法のフローチャートを示す。
【００９９】
最初のステップ７０１では、ネットワーク電流振幅の設定値ＡＩｎｅｔｗｏｒｋが、装置１からネットワークに伝達することが望まれる電流の振幅に応じて伝達される。
【０１００】
次のステップ７０２では、配給者によって課されたネットワーク電力供給電圧Ｕｎｅｔｗｏｒｋが測定される。この電圧は測定されて位相ロックループなどの同調手段２２に注入され、その後ステップ７０３で、入力としてさらにネットワーク電流振幅設定値を受け取り、出力としてネットワーク電流設定値Ｓｅｔｐｏｉｎｔ（ＩＮｅｔｗｏｒｋ）を伝達する計算手段２１に挿入される。
【０１０１】
次のステップ７０４では、装置１によって電流供給ネットワークに伝達された電流ＩＮｅｔｗｏｒｋが測定されて、それをステップ７０５でネットワーク設定値Ｓｅｔｐｏｉｎｔ（ＩＮｅｔｗｏｒｋ）と比較する。
【０１０２】
ステップ７０６では、ステップ７０５で特定された差に基づいて電流調整が決定される。こうして決定された調整は、ステップ７０７で、先に事前処理手段によって処理されたネットワーク電流設定値Ｓｅｔｐｏｉｎｔ（ＩＮｅｔｗｏｒｋ）に加算される。
【０１０３】
最後のステップ７０８では、得られた信号が、装置１の制御を決定するストラテジック手段２７へと注入され、ストラテジック手段２７は電力供給ネットワークに所望の電流を伝達する。
【０１０４】
図８は、一実施形態による、自動車のパワートレインの充電及び／又は電気発生装置から負荷装置に電力供給する方法のフローチャートを示す。
【０１０５】
最初のステップ８０１では、負荷装置電圧設定値Ｕｓｅｔｐｏｉｎｔが、装置１から負荷装置に伝達することが望まれる電圧に応じて伝達される。
【０１０６】
次のステップ８０２では、装置１によって負荷装置の端子に伝達された電圧Ｕｌｏａｄが測定される。
【０１０７】
次いでステップ８０３では、電圧設定値Ｕｓｅｔｐｏｉｎｔと測定電圧Ｕｌｏａｄとが比較され、測定された差が調整手段３２に伝達され、調整手段３２は、次のステップ８０４で、チャージにおいて望ましい電圧が得られるように、装置１によって負荷装置に与えられるべき電流設定値を伝達することが可能な電圧調整を決定する。
【０１０８】
次のステップ８０５では、先のステップで決定された電流設定値が、コンバータに過負荷を掛けないように飽和される。これは、インピーダンスが低くなりすぎたときに負荷装置に加わる電圧が低下するという効果を有する。
【０１０９】
最後のステップ８０６では、得られた信号がストラテジ手段３４に注入され、負荷装置の端子に望ましい電圧を得るために、設定値に対応した電流を伝達するように、装置１の制御を決定する。
【０１１０】
上述の装置１は、バッテリ電圧が常に電力供給ネットワークの最大電圧より高いことを必要とする制約から免れることができる。
【０１１１】
さらに装置１は、電力バッファ・フィルタとして装置１の固定子コイル１４のインダクタンスのみを利用することを可能とする。とりわけ、充電電力が大きいとき、そうした誘導性及び／又は容量性フィルタの空間要求及び重量は、自動車に搭載するには大きすぎるものとなる。
【０１１２】
さらに装置１は、動作モードの切り替えに接触器を用いる必要なしに、充電モード或いはドライビングモードでの装置の動作を許容することができる。
【０１１３】
これはバッテリ２をさらに急速に充電することができる。
【０１１４】
さらに装置１は、接触器の必要なしに、三相又は単相モードにおける自動車から負荷装置への電力供給を可能とする。
【０１１５】
装置１はさらに、装置に生じた電力を、接続先の電力供給ネットワークへと返還することを可能とする。
【図１】
0005738759.tif 000002
【図２】
0005738759.tif 000003
【図３】
0005738759.tif 000004
【図４】
0005738759.tif 000005
【図５】
0005738759.tif 000006
【図６】
0005738759.tif 000007
【図７】
0005738759.tif 000008
【図８】
0005738759.tif 000009